(57)【要約】      （修正有）【課題】オイル中の鉄粉不純物をろ過し、構成部材が簡易で、組立が速い、生産製造コストを大幅に節約する強磁性オイルフィルタを提供する。【解決手段】強磁性オイルフィルタは、底部にカバー蓋１１を設けた本体１内部に合わせたフィルタ芯２、ペアで設置する磁性ユニット３を含む。カバー蓋は出油孔１１１および入油孔１１２を有する。出油孔に対応するフィルタ芯の底部には誘導口２１を設けている。フィルタ芯は、第一フィルタドラム２２に相互に対応する納置空間２２３を有し、第二フィルタドラム２３に多数個のろ過孔２３１を有する。磁性ユニット３は第一フィルタドラムの対応した納置空間内部に二個納置し、二個の磁力で磁性ユニットを相互に反発させ、第二フィルタドラム内部に相互に反発する磁性エリアを形成する。【選択図】図１
0003226740.tif 000002
【実用新案登録請求の範囲】
【請求項１】
底部にカバー蓋を有し、前記カバー蓋の中心箇所には出油孔を有し、前記カバー蓋の前記出油孔の周囲には少なくとも一個の入油孔を有する本体と、
前記本体の内部で前記出油孔に嵌合し、前記本体の出油孔に対応する底部には誘導口を連通して設け、径外方向から径内方向の順に第一フィルタドラムおよび第二フィルタドラムを設け、前記第一フィルタドラムは多数の内折部、前記内折部と同じ数の外折部および前記内折部と前記外折部とを結合する平板部を有し、前記第一フィルタドラムの各二個の前記内折部と各一個の前記外折部の間で納置空間を構成し、前記第二フィルタドラムは多数個のろ過孔を有するフィルタ芯と、
ペアで設置し、前記第一フィルタドラムの相互に対応している前記納置空間内部に二個配置されることで、第二フィルタドラム内部に少なくとも二個の相互に反発し合う磁性エリアを形成する磁性ユニットと、
を含むことを特徴とする強磁性オイルフィルタ。
【請求項２】
前記磁性ユニットは、磁石であることを特徴とする請求項１記載の強磁性オイルフィルタ。
【請求項３】
前記第一フィルタドラムは、硬質紙片が蛇腹折りで広い面積で構成されるドラム体であることを特徴とする請求項１記載の強磁性オイルフィルタ。
【請求項４】
前記第二フィルタドラムは、金属片が湾曲して広い面積で構成されるドラム体であることを特徴とする請求項１記載の強磁性オイルフィルタ。
【考案の詳細な説明】
【技術分野】
【０００１】
本考案は、鉄粉等を除去可能な強磁性オイルフィルタに関する。
【背景技術】
【０００２】
車両エンジンの各部材は稼働する過程で摩耗させられるため、エンジン側にはオイルポンプを設けてある。オイルポンプにはオイルフィルタが組み込まれる。オイルポンプによってエンジン底部にあるエンジンオイルをオイルフィルタに送ってろ過し、次にエンジン最上方へ送り、その後エンジン各部位へ分散流入する。オイルフィルタがエンジンオイルをろ過して滑らかにすることで、エンジンオイルに適する粘性が生じ、各運動部材の潤滑性を高めて摩耗を減らす。
【０００３】
以下の特許文献１を公開例として挙げる。
【先行技術文献】
【特許文献】
【０００４】
【特許文献１】台湾特許出願公開第２００７１８８６１号公報
【０００５】
このエンジン用オイルフィルタは、一端に開口を有するドラム形状の筐体を含む。筐体内部から開口端までバネ、ろ過体、ソフト逆止片および筐体開口端に蓋する端蓋を順に設ける。ろ過体は、中空で両端が開口のチムニーフィルタ、チムニーフィルタ外周辺縁で被覆するメッシュフィルタ、チムニーフィルタのバネ向き端部に設置する下片、チムニーフィルタ別端に設置する上片、下片とチムニーフィルタの間で支える底板および底フィルタを含む。底板の中間にはチムニーフィルタ内部に位置する羽根を回転自在に設ける。そのうち下片の中間には入油孔を設け、底板には入油孔範囲内に位置する穿槽を設ける。エンジンオイルをメッシュフィルタおよび底フィルタを経由させることで不純物をろ過し、次にチムニーフィルタ内部に入り、エンジンオイルが羽根を通過すると、羽根を回転させ、チムニーフィルタ外側のエンジンオイルを引き入れ、ろ過速度を加速する。
上述のエンジン用オイルフィルタは、エンジンオイルのろ過速度を加速するため、羽根を設ける。しかし、羽根の増設ではエンジンオイルの中の鉄粉不純物をろ過できず、各部材の摩耗がひどくなる問題に直面する。羽根に係る部材の設置によって、組立が複雑になり、生産製造コストが上がる問題が発生する。
【考案の概要】
【考案が解決しようとする課題】
【０００６】
本考案は、ろ過すべきオイル中の鉄粉不純物を効率よくろ過し、部材が簡易な構成あって組み立てが簡易なオイルフィルタを提供することを目的とする。
【課題を解決するための手段】
【０００７】
本考案のオイルフィルタは次の構成を有する。
底部にカバー蓋を設けた本体は、カバー蓋の中心箇所に出油孔を設け、出油孔の周囲には入油孔を設ける。
本体内部に嵌合したフィルタ芯は、本体の出油孔に対応するフィルタ芯の底部に誘導口を連通して設け、フィルタ芯は外から内の順に第一フィルタドラムおよび第二フィルタドラムを設け、第一フィルタドラムは多数の内折部、および内折部と同じ数の外折部を有する。第一フィルタドラムの各二個の内折部と各一個の外折部の間で納置空間を構成する。内折部と外折部の間は平直面であり、第二フィルタドラムは多数個のろ過孔を有する。
【０００８】
磁性ユニットは、第一フィルタドラムの相互に対応している納置空間内部に二個配置され、二個の磁力が磁性ユニットを相互に反発させる、第二フィルタドラム内部に相互に反発し合う磁性エリアが形成される。
【０００９】
上述の磁性ユニットは磁石である。
【００１０】
上述の第一フィルタドラムは硬質紙片が蛇腹折りで広い面積で構成される。
【００１１】
上述の第二フィルタドラムは金属片が湾曲して広い面積で構成される。
【考案の効果】
【００１２】
本考案の強磁性オイルフィルタは以下の効果を有する。
【００１３】
１．本考案の強磁性オイルフィルタは、二つの磁力が相互に反発し合う強力磁性ユニットによって、エンジンオイルの中の鉄粉不純物を確実にろ過でき、各部材の潤滑性を高めて摩耗を減らす長所を有する。
【００１４】
２．本考案の強磁性オイルフィルタは、二つの相互に反発し合う磁性エリアによって、エンジンオイルの流動速度を加速してろ過効率を高める。
【００１５】
３．本考案の強磁性オイルフィルタの構成はシンプルで、そのエンジンオイルのろ過を何度も巡回する過程で、エンジンオイルのろ過効果が大幅に向上する。
【００１６】
４．本考案の強磁性オイルフィルタの製造時、必要な関連する部材の組立工程は簡易で、組立が速くできるため、生産製造コストを節約できる。
【図面の簡単な説明】
【００１７】
【図１】本考案の実施形態による強磁性オイルフィルタの断面図である。
【図２】図１のＡ−Ａ線断面図である。
【図３】本考案の実施形態の作用を説明するための図１に対応する強磁性オイルフィルタの断面図である。
【図４】図３のＢ−Ｂ線断面図である。
【考案を実施するための形態】
【００１８】
以下、本考案の実施形態による強磁性オイルフィルタを図面に基づいて説明する。
【００１９】
図１および図２に示すとおり、本考案の一実施形態による強磁性オイルフィルタは、本体１の底部にカバー蓋１１を設け、カバー蓋１１の中心箇所には出油孔１１１を設け、出油孔１１１の中心の径外方向に複数の入油孔１１２を設ける。本体１の内部にカバー蓋１１の内壁側のフランジ３１に嵌合するフィルタ芯２を含み、本体１の出油孔１１１に対応するフィルタ芯２の底部には誘導口２１を連通して設ける。
フィルタ芯２は、基本形が筒状の第一フィルタドラム２２を設け、その径内方向に第二フィルタドラム２３を設ける。第一フィルタドラム２２は、硬質紙片が蛇腹折りで周方向に環状に軸方向に筒状に構成され、広い取り巻き面積を有するドラム体である。
第一フィルタドラム２２は、多数の平板状の平板部４０と、多数の内折部２２１と、内折部２２１と同じ数の外折部２２２とを有する。内折部２２１と外折部２２２は平板状の平板部４０により結合される。第一フィルタドラム２２の互いに隣り合う各二個の内折部２２１と、各一個の外折部２２２と、第二フィルタドラム２３の外壁との間で納置空間２２３を構成する。
第二フィルタドラム２３は金属片が湾曲して筒状に構成される広い面積のドラム体である。第二フィルタドラム２３は、径方向に連通する多数個のろ過孔２３１を有する。
強力な磁石である磁性ユニット３は、第一フィルタドラム２２の中心軸に対し第二フィルタドラム２３の径外方向側で相互に対向するように納置空間２２３内部に二個設けられる。磁性ユニット２３は、第二フィルタドラム２３に保持される。二個の磁性ユニット３から発生する磁力が相互に反発し、第二フィルタドラム２３内部に相互に反発し合う磁性エリア３１が形成される。
【００２０】
図３および図４に示すとおり、本考案の実施形態による強磁性オイルフィルタを使用するとき、二個の磁力で磁性ユニット３を相互に反発させるため、第二フィルタドラム２３内部に互いに反発し合う少なくとも二個の磁性エリア３１が形成される。
ろ過前のエンジンオイル４は、本体１の底部に位置するカバー蓋１１の入油孔１１２から本体１の内部に入り、図３の上方に流れ、第一フィルタドラム２２の平板部４０を透過し、第二フィルタドラム２３のろ過孔２３１を通過し、第二フィルタドラム２３の内部を図３の下方向４１に流れ、誘導口２１及び出由孔１１１を経由して外部に流出する。
このとき、第一フィルタドラム２２の納置空間２２３の内部に位置する磁性ユニット３は、その強力磁石の特性によって、エンジンオイル４の中の鉄粉５を二個の磁性ユニット３に対応する内折部２２１と外折部２２２の間の平板部４０で吸着し、第一フィルタドラム２２外側でエンジンオイルの中の鉄粉５を吸着してろ過一巡目を行う。
二個の磁性ユニット３で形成される磁性エリア３１はろ過を待つエンジンオイル４を加速して蛇腹ドラム体形状の第一フィルタドラム２２を通過させ、ろ過二巡目を行う。
その後、エンジンオイル４は第二フィルタドラム２３のろ過孔２３１を経由してフィルタ芯２内部に進入し、ろ過三巡目を行う。
最後にろ過が完了し、きれいになったエンジンオイル４はフィルタ芯２内部の中心箇所の誘導口２１を経由してカバー蓋１１の出油孔１１１から流出する。
【００２１】
上述に示すとおり、本考案は、上記実施形態になんら限定されるものではなく、考案の趣旨を逸脱しない範囲において種々の形態で実施可能である。
【符号の説明】
【００２２】
１        本体
１１        カバー蓋
１１１        出油孔
１１２        入油孔
２        フィルタ芯
２１        誘導口
２２        第一フィルタドラム
２２１        内折部
２２２        外折部
２２３        納置空間
２３        第二フィルタドラム
２３１        ろ過孔
３        磁性ユニット
３１        磁性エリア
４        エンジンオイル
５        鉄粉
【図１】
0003226740.tif 000003
【図２】
0003226740.tif 000004
【図３】
0003226740.tif 000005
【図４】
0003226740.tif 000006